【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
ユーザ機器(UE)のワイヤレス通信の方法であって、
スロット内の短縮物理アップリンク制御チャネル(sPUCCH)の第1のシンボルのセット内の第1のリソースのセットにおいて、第1のアップリンク制御情報(UCI)を送信するステップと、
前記スロット内の前記sPUCCHの第2のシンボルのセット内の第2のリソースのセットにおいて、第2のUCIを送信するステップであって、前記第2のシンボルのセットが、前記第1のシンボルのセットに後続する、ステップと
を含み、
前記第1のシンボルのセットにおけるシンボルの数、および前記第2のシンボルのセットにおけるシンボルの数が、前記スロットがサブフレームの第1のスロットであるか、それとも前記サブフレームの第2のスロットであるかに基づき、
前記スロットが前記サブフレームの前記第1のスロットであり、スロットごとにシングルホップのスロット内周波数ホッピングが使用されるとき、前記第1のシンボルのセットが3つのシンボルを含み、前記第2のシンボルのセットが4つのシンボルを含み、
前記スロットが前記サブフレームの前記第2のスロットであり、前記スロットごとにシングルホップのスロット内周波数ホッピングが使用されるとき、前記第1のシンボルのセットが4つのシンボルを含み、前記第2のシンボルのセットが3つのシンボルを含む、方法。
【請求項２】
前記sPUCCHが、異なるスロットにおける第2のsPUCCHの第2の構造とは異なる第1の構造を有し、前記第1の構造および前記第2の構造が、リソースブロックの数、復調基準信号(DM-RS)の数、前記DM-RSのための位置、コム構造、または直交カバーコード(OCC)の長さのうちの少なくとも1つに関して異なる、請求項1に記載の方法。
【請求項３】
スロット内周波数ホッピングが前記sPUCCHとともに使用されるとき、前記第1のシンボルのセットにおける前記シンボルの数、および前記第2のシンボルのセットにおける前記シンボルの数が、前記スロット内の周波数ホップの数にさらに基づく、請求項1に記載の方法。
【請求項４】
前記スロットが前記サブフレームの前記第1のスロットである場合、前記sPUCCHの前記第1のシンボルのセットの第1のシンボルおよび第3のシンボルが、前記第1のUCIを搬送するが、前記第1のシンボルのセットの第2のシンボルが、DM-RSを搬送し、前記sPUCCHの前記第2のシンボルのセットの第1のシンボルおよび第4のシンボルが、前記第2のUCIを搬送するが、前記第2のシンボルのセットの第2のシンボルおよび第3のシンボルが、DM-RSを各々搬送する、請求項1に記載の方法。
【請求項５】
前記スロットが前記サブフレームの前記第2のスロットである場合、前記sPUCCHの前記第1のシンボルのセットの第1のシンボルおよび第4のシンボルが、前記第1のUCIを搬送するが、前記第1のシンボルのセットの第2のシンボルおよび第3のシンボルが、DM-RSを各々搬送し、前記sPUCCHの前記第2のシンボルのセットの第1のシンボルおよび第3のシンボルが、前記第2のUCIを搬送するが、前記第2のシンボルのセットの第2のシンボルが、DM-RSを搬送する、請求項1に記載の方法。
【請求項６】
前記スロットが前記サブフレームの前記第1のスロットであり、スロットごとにダブルホップのスロット内周波数ホッピングが使用されるとき、前記第1のシンボルのセットが3つのシンボルを含み、前記第2のシンボルのセットが2つのシンボルを含み、
前記スロットが前記サブフレームの前記第2のスロットであり、前記スロットごとにダブルホップのスロット内周波数ホッピングが使用されるとき、前記第1のシンボルのセットおよび前記第2のシンボルのセットが、2つのシンボルを各々含む、請求項3に記載の方法。
【請求項７】
前記スロット内の前記sPUCCHの第3のシンボルのセット内の第3のリソースのセットにおいて、第3のUCIを送信するステップであって、前記第3のシンボルのセットが、前記第2のシンボルのセットに後続し、前記スロットが前記サブフレームの前記第1のスロットであるとき、2つのシンボルを含み、前記スロットが前記サブフレームの前記第2のスロットであるとき、3つのシンボルを含む、ステップ
をさらに含む、請求項6に記載の方法。
【請求項８】
前記sPUCCHのために使用されるために、前記UEに前記第1の構造を割り当てる指示を、基地局から受信するステップであって、前記第1の構造が、複数の構造のうちの1つである、ステップ
をさらに含む、請求項2に記載の方法。
【請求項９】
前記指示が、前記基地局からの無線リソース制御(RRC)メッセージにおいて、または前記基地局から受信されたダウンリンク制御情報のビットフィールドにおいて受信される、請求項8に記載の方法。
【請求項１０】
ワイヤレス通信のための装置であって、
メモリと、
前記メモリに結合された少なくとも1つのプロセッサと
を備え、前記少なくとも1つのプロセッサが、
スロット内の短縮物理アップリンク制御チャネル(sPUCCH)の第1のシンボルのセット内の第1のリソースのセットにおいて、第1のアップリンク制御情報(UCI)を送信すること、および
前記スロット内の前記sPUCCHの第2のシンボルのセット内の第2のリソースのセットにおいて、第2のUCIを送信することであって、前記第2のシンボルのセットが、前記第1のシンボルのセットに後続する、送信すること
を行うように構成され、
前記第1のシンボルのセットにおけるシンボルの数、および前記第2のシンボルのセットにおけるシンボルの数が、前記スロットがサブフレームの第1のスロットであるか、それとも前記サブフレームの第2のスロットであるかに基づき、
前記スロットが前記サブフレームの前記第1のスロットであり、スロットごとにシングルホップのスロット内周波数ホッピングが使用されるとき、前記第1のシンボルのセットが3つのシンボルを含み、前記第2のシンボルのセットが4つのシンボルを含み、
前記スロットが前記サブフレームの前記第2のスロットであり、前記スロットごとにシングルホップのスロット内周波数ホッピングが使用されるとき、前記第1のシンボルのセットが4つのシンボルを含み、前記第2のシンボルのセットが3つのシンボルを含む、装置。
【請求項１１】
コンピュータ実行可能コードを記憶するコンピュータ可読記憶媒体であって、前記コンピュータ実行可能コードが、
スロット内の短縮物理アップリンク制御チャネル(sPUCCH)の第1のシンボルのセット内の第1のリソースのセットにおいて、第1のアップリンク制御情報(UCI)を送信すること、および
前記スロット内の前記sPUCCHの第2のシンボルのセット内の第2のリソースのセットにおいて、第2のUCIを送信することであって、前記第2のシンボルのセットが、前記第1のシンボルのセットに後続する、送信すること
を行うためのコードを備え、
前記第1のシンボルのセットにおけるシンボルの数、および前記第2のシンボルのセットにおけるシンボルの数が、前記スロットがサブフレームの第1のスロットであるか、それとも前記サブフレームの第2のスロットであるかに基づき、
前記スロットが前記サブフレームの前記第1のスロットであり、スロットごとにシングルホップのスロット内周波数ホッピングが使用されるとき、前記第1のシンボルのセットが3つのシンボルを含み、前記第2のシンボルのセットが4つのシンボルを含み、
前記スロットが前記サブフレームの前記第2のスロットであり、前記スロットごとにシングルホップのスロット内周波数ホッピングが使用されるとき、前記第1のシンボルのセットが4つのシンボルを含み、前記第2のシンボルのセットが3つのシンボルを含む、コンピュータ可読記憶媒体。